(57)【要約】【課題】宅配ボックス並びに郵便受けが、受取側からみて一体となっているような外観を呈するような物品収受装置並びにその設置方法を提供する。【解決手段】業者から配達された宅配物を収納するとともに、配達側と反対側の受取側に設けられた開閉扉を開放して収納されている宅配物を受け取る宅配ボックスと、業者から配達された郵便物を収納するとともに、配達側と反対側の受取側に設けられた開閉扉を開放して収納されている郵便物を受け取る郵便受けと、を集合住宅の壁部に埋設し、壁部の受取側壁面５０ａを、郵便受けの開閉扉２０ａが織り成す模様と同じ模様が発生するように、郵便受けの開閉扉の形状に対応するタイル６０で被覆する。また、大容積の宅配ボックスの受取側の開閉扉１０ａも、郵便受けの開閉扉に合わせて分割する。受取側には、ほぼ同一の開閉扉の配列が現れるので、一体化した外観を呈する物品収受装置が得られる。【選択図】図６
2010115265.tif 000002
【特許請求の範囲】
【請求項１】
業者から配達された宅配物を収納するとともに、配達側と反対側の受取側に設けられた開閉扉を開放して収納されている宅配物を受け取るための宅配ボックスと、
業者から配達された郵便物を収納するとともに、配達側と反対側の受取側に設けられた開閉扉を開放して収納されている郵便物を受け取るための郵便受けと、から構成され、
宅配ボックスの開閉扉の受取側に向かう面を郵便受けの開閉扉の形状に合わせて分割し、分割された開閉扉の面に、郵便受けの開閉扉の形状に対応した形状部分を形成することを特徴とする物品収受装置。
【請求項２】
前記宅配ボックスと郵便受けの各開閉扉が閉じたとき、各開閉扉が同じ平面内に位置することを特徴とする請求項１に記載の物品収受装置。
【請求項３】
前記宅配ボックスの開閉扉の面積は、ほぼ郵便受けの開閉扉の偶数倍となっており、宅配ボックスの開閉扉の受取側に向かう面が、該偶数分の１の区画に分割されることを特徴とする請求項１又は２に記載の物品収受装置。
【請求項４】
前記宅配ボックスの開閉扉に形成された形状部分が開閉扉の面と同一面であるか、あるいはそれより隆起あるいは陥没していることを特徴とする請求項１から３のいずれか１項に記載の物品収受装置。
【請求項５】
業者から配達された宅配物を収納するとともに、配達側と反対側の受取側に設けられた開閉扉を開放して収納されている宅配物を受け取るための宅配ボックスと、
業者から配達された郵便物を収納するとともに、配達側と反対側の受取側に設けられた開閉扉を開放して収納されている郵便物を受け取るための郵便受けと、を集合住宅の壁部に埋設し、
前記壁部の受取側壁面を、郵便受けの開閉扉が織り成す模様と同じ模様が発生するように、郵便受けの開閉扉の形状に対応する建材で被覆することを特徴とする物品収受装置の設置方法。
【請求項６】
宅配ボックスの開閉扉の受取側に向かう面を郵便受けの開閉扉の形状に合わせて分割し、分割された開閉扉の面に、郵便受けの開閉扉の形状に対応する形状部分を形成することを特徴とする請求項５に記載の物品収受装置の設置方法。
【請求項７】
前記宅配ボックスと郵便受けは、その各開閉扉が閉じたとき、各開閉扉と建材がほぼ同一垂直面内に位置するように埋設されることを特徴とする請求項５又は６に記載の物品収受装置の設置方法。
【発明の詳細な説明】
【技術分野】
【０００１】
本発明は、宅配物および郵便物の収受に用いられる物品収受装置並びにその設置方法に関するものである。
【背景技術】
【０００２】
マンションなどの集合住宅などには、宅配物集合保管装置、いわゆる宅配ボックスが設置されることがある。宅配ボックスは、特定の居住者宛ての宅配物を受け取る、あるいは特定の居住者が発送する宅配物を集荷するための施錠可能、かつ物理的な鍵やＩＣカードを用いた鍵により開錠可能な物品収納ボックスを複数有するロッカーに類似した物品収納装置である。
【０００３】
多くの場合、このような宅配ボックスの物品収納ボックスの受容口の扉はオートロックなどにより画成されたマンションの居住者空間の外側に開口し、取出口ないし受取口の扉は居住者空間の内側に配置される。
【０００４】
また、集合住宅などには、宅配ボックスが設置されていなくても、郵便受けは必ず配置される。オートロック化されたマンションなどでは、各居室ごとの郵便受けを多数配列した集合型の郵便受けが用いられており、その受容口は、通常、オートロックにより画成されたマンションの居住者空間の外側に開口し、取出口ないし受取口は居住者空間の内側に配置される。
【０００５】
さらに、物品収受、という共通性から、上記の宅配ボックスを、郵便受けとともに配置する場合の構成として下記特許文献１に示されるような構成が既に知られている。
【特許文献１】特開２００４−２４８７４２号公報
【発明の開示】
【発明が解決しようとする課題】
【０００６】
宅配ボックス並びに郵便受けは、その受取口ないし開閉扉が、配達側と反対側の受取側に設けられた壁面に位置するように設置されるので、マンションの内装上の美観を高める上で、宅配ボックス並びに郵便受けの開閉扉が壁面から突出しないようにするなど、最低限の工夫をしなければならない。
【０００７】
更に、宅配ボックス並びに郵便受けが埋設される壁部は、通常タイルなどの建材で被覆されることが多いので、受取側から見た宅配ボックス並びに郵便受けは、壁面と調和が取れ、壁面と一体となっているような外観を呈することが好ましい。
【０００８】
また、宅配ボックスは、通常郵便受けより容積が大きく、宅配ボックスの受取側の開閉扉は、郵便受けのそれより２〜数倍大きいのが普通である。従って、宅配ボックスと郵便受けが混在する場合、居住者は、混在する大きさの異なる開閉扉を壁面に見ることになるので、これを一体化した外観を呈するようにするのが好ましい。
【０００９】
本発明は、このような点を鑑みてなされたもので、宅配ボックス並びに郵便受けが、受取側からみて一体となっているような外観を呈するような物品収受装置並びにその設置方法を提供することを課題とする。
【課題を解決するための手段】
【００１０】
本発明は、
業者から配達された宅配物を収納するとともに、配達側と反対側の受取側に設けられた開閉扉を開放して収納されている宅配物を受け取るための宅配ボックスと、
業者から配達された郵便物を収納するとともに、配達側と反対側の受取側に設けられた開閉扉を開放して収納されている郵便物を受け取るための郵便受けと、から構成され、
宅配ボックスの開閉扉の受取側に向かう面を郵便受けの開閉扉の形状に合わせて分割し、分割された開閉扉の面に、郵便受けの開閉扉の形状に対応した形状部分を形成することを特徴とする。
【００１１】
また、本発明は、
業者から配達された宅配物を収納するとともに、配達側と反対側の受取側に設けられた開閉扉を開放して収納されている宅配物を受け取るための宅配ボックスと、
業者から配達された郵便物を収納するとともに、配達側と反対側の受取側に設けられた開閉扉を開放して収納されている郵便物を受け取るための郵便受けと、を集合住宅の壁部に埋設し、
前記壁部の受取側壁面を、郵便受けの開閉扉が織り成す模様と同じ模様が発生するように、郵便受けの開閉扉の形状に対応する建材で被覆することを特徴とする。
【発明の効果】
【００１２】
本発明の物品収受装置では、宅配ボックスの開閉扉の受取側に向かう面を受取側の郵便受けの開閉扉の形状に合わせて分割し、分割された開閉扉の面に、郵便受けの開閉扉の形状に対応した形状部分を形成するようにしているので、郵便受けとそれより大容積の宅配ボックスの受取側の開閉扉の大きさが異なる場合でも、受取側には、ほぼ同一の開閉扉の配列が現れるので、一体化した外観を呈する物品収受装置が得られる。
【００１３】
また、本発明の物品収受装置は、集合住宅の壁部に埋設して設置され、そのとき壁部の受取側壁面は、郵便受けの開閉扉が織り成す模様と同じ模様が発生するように、郵便受けの開閉扉の形状に対応する建材で被覆されるので、受取側から見た宅配ボックス並びに郵便受けは、これらが設置される壁面と調和が取れて壁面と一体となっているような外観を呈し、集合住宅の品質を高めることができる。
【００１４】
宅配ボックスと郵便受けを、その各開閉扉が閉じたとき、各開閉扉と建材がほぼ同一垂直面内に位置するように壁部に埋設すると、宅配ボックスと郵便受けが同一模様の壁面を構成し、更に一体感が増すことになる。
【００１５】
本発明では、このように、宅配ボックスと郵便受けの受取側の面が集合住宅の壁面と一体化するように壁部に埋設されるため、集合住宅の居住者エントランスに、特別な領域を必要とせず、省スペース化が可能となる。
【発明を実施するための最良の形態】
【００１６】
以下、本発明を実施するための最良の形態の一例として、宅配ボックスと郵便受けを併設して成る物品収受装置に関する実施例を示す。
【実施例】
【００１７】
図１（ａ）、（ｂ）は、宅配ボックス１０と、郵便受け２０を組み合わせて成る物品収受ユニット１の外観を業者側（配達側）並びに居住者側（受取側）から見た図である。宅配ボックス１０は、電気錠により施錠可能で、また認証された業者により開錠可能な平坦な開閉扉１０ｂを有する。業者は認証を行った後、開閉扉１０ｂを開いて、所定の居住者宛て宅配物を収納する。宅配ボックス１０は、図１に示したものは、１個しか設けられていないが、複数個設けることもできる。
【００１８】
宅配ボックス１０の受取側は、図１（ｃ）に示したように、電気錠により施錠可能で、また認証された居住者により開錠可能な平坦な開閉扉１０ａを有する。居住者は、認証を行った後、開閉扉１０ａを開放して、業者により配達され収納されている自分宛の宅配物を受け取る。あるいは居住者は開閉扉１０ａを開放して業者に委託して発送しようとする宅配物を収納する。
【００１９】
郵便受け２０は、定型郵便物を投函する受容口２０ｃと、大判の郵便物や新聞を投函できる受容口２０ｄを有し、業者（郵便配達人あるいは新聞配達人）はこれらの受容口を介して居住者宛ての郵便物あるいは新聞を配達する。郵便受け２０の受取側は、図１（ｃ）に示したように、電気錠により施錠可能で、また認証された居住者により開錠可能な平坦な開閉扉２０ａを有する。居住者は、認証を行った後、開閉扉２０ａを開放して、自分宛の郵便物や新聞などを受け取る。郵便受け２０は複数個設けられ、図１に示した物品収受ユニット１では、左右にそれぞれ５個、合計１０個の郵便受け２０が設けられる。もちろん、物品収受ユニット１の高さを高くして、さらに多くの郵便受けを設けることも可能である。
【００２０】
図１（ｃ）に示すように、宅配ボックス１０の下部には、宅配物が宅配ボックス内にあることを検知するフォトインタラプタなどからなる光学センサー１０ｃが配置される。
【００２１】
物品収受ユニット１の上部には、宅配ボックスや郵便受けの制御を司る制御回路などを収納する制御ボックス３０が設けられ、物品収受ユニットを設置あるいは保守する作業員は、配達側の平坦な開閉扉３０ｂあるいは受取側の平坦な開閉扉３０ａを開放して制御回路などを設置したり、あるいはそれを保守することができる。
【００２２】
通常、物品収受装置は、図１に示した物品収受ユニット１を、マンションに居住者に合わせて複数ユニット併設して構成される。この状態が図２に図示されている。
【００２３】
図２では、図１に示した物品収受ユニット１が４ユニット併設され、更に、物品収受ユニット１と縦、横及び奥行きサイズがそれぞれ同じの物品収受ユニット２が物品収受ユニット１に隣接して配置される。物品収受ユニット２は、宅配ボックス１０と同様な容積の宅配ボックス４０、コンソール４１、宅配ボックス４０より約２倍の容積をもつ宅配ボックス４２を上下に重ねた構造になっている。なお、隣接する物品収受ユニットはそれぞれボルトナット式の固定手段（不図示）で互いに固定して配置される。
【００２４】
宅配ボックス４０、４２は、それぞれ電気錠により施錠可能で、また認証された業者により開錠可能な平坦な開閉扉４０ｂ、４２ｂを配達側に有し、業者は認証を行った後、開閉扉４０ｂ、４２ｂを開いて、所定居住者宛ての宅配物を収納する。宅配ボックス４０、４２の受取側は、図２（ｃ）に示したように、電気錠により施錠可能で、また認証された居住者により開錠可能な平坦な開閉扉４０ａ、４２ａを有し、居住者は、認証を行った後、開閉扉４０ａ、４２ａを開放して、業者により配達され収納されている自分宛の宅配物を受け取ったり、あるいは開閉扉４０ａ、４２ａを開放して業者に委託して発送しようとする宅配物を収納する。
【００２５】
コンソール４１は操作表示部４１ｂ、プリンター４１ｃなどを有し、内部に配置されたＣＰＵなどからなる制御部は、制御ボックス３０内の制御回路を介して宅配ボックスや郵便受けの開閉扉の開錠を制御したり、その他種々の制御を行う。コンソール４１の受取側の平坦な開閉扉４１ａは、内部に配置された制御部あるいはその他の回路を設置あるいは保守するために開放可能となっている。
【００２６】
郵便受け２０は、マンションの各居住者個々に割り当てられるので、図２に示した例では、４０個の郵便受けが設けられており、４０世帯用の集合住宅に対する物品収受装置となっている。一方、宅配ボックスは、居住者全部には割り与えられず、図２に示した例では、６個しか設けられていない。
【００２７】
図２（ａ）に示したように、物品収受装置には、左右にＩＣカードの内容を読み取ることが可能なタッチパネル式の鍵センサー４を設けたセンサーボックス３が配置される。センサーボックス３は、縦と奥行きサイズは物品収受ユニット１、２とほぼ同じであるが、横幅は鍵センサー３を配置できる程度の狭い幅になっている。
【００２８】
鍵センサー４は、そこに接触あるいは近接されたＩＣカードを読み取って、ＩＣカードに記録された情報に従い、ＩＣカードの保持者が認証された業者であるかどうかを検知する。認証された業者である場合には、空いている宅配ボックスのいずれかの電気錠を開錠し、その開閉扉を開放させることができる。
【００２９】
図２（ｃ）に示したように、センサーボックス３の受取側には、ＩＣカードの内容を読み取ることが可能なタッチパネル式の鍵センサー５、６が配置される。鍵センサー５は、宅配ボックスの開錠を行うためのもので、そこに接触あるいは近接されたＩＣカードを読み取って、ＩＣカードに記録された情報に従い、ＩＣカードの保持者が認証された居住者であるかどうかを検知する。認証された居住者であって、該居住者宛の宅配物がいずれかの宅配ボックスに配達されている場合には、その宅配ボックスの電気錠を開錠し、その開閉扉を開放させることができる。
【００３０】
鍵センサー６は、郵便受けの開錠を行うためのもので、そこに接触あるいは近接されたＩＣカードを読み取って、ＩＣカードに記録された情報に従い、ＩＣカードの保持者が認証された居住者であるかどうかを検知する。認証された居住者である場合には、該居住者に割り当てられている郵便受けの電気錠を開錠し、その開閉扉を開放させることができる。
【００３１】
各物品収受ユニット１、２の受取側の下方部には、各ユニットごとに表示部７が設けられる。表示部７は、ＬＥＤなどから構成された表示ランプ７ａ、７ｂ、７ｃからなり、表示ランプ７ａは、そのユニット内にあるいずれかの郵便受けの開閉扉が開錠された場合に点灯し、表示ランプ７ｂは、そのユニット内にあるいずれかの宅配ボックスの開閉扉が開錠された場合に点灯し、表示ランプ７ｃは、そのユニット内にある宅配ボックス並びに郵便受けのすべての開閉扉が施錠されていない場合に点灯される。
【００３２】
なお、図１、図２に示した物品収受装置の宅配ボックスと郵便受けの組み合わせは、一例に過ぎず、世帯数に合わせて、あるいは居住者の年齢や職業に合わせて宅配ボックス、郵便受けあるいは物品収受ユニットを増減させることができる。たとえば、図２の例において、一番左にある物品収受ユニット１の宅配ボックスを、郵便受けに置換したり、あるいはその逆に郵便受けを宅配ボックスに置き換えることができる。あるいは、一番右にある物品収受ユニット２の宅配ボックスを、郵便受けに置き換えることができる。図１、図２では、宅配ボックスは、郵便受けの４倍あるいはそれ以上の容積があるので、宅配ボックスを郵便受けに置き換えると、その分だけ郵便受けを増設することができる。
【００３３】
また、大規模集合住宅の場合には、物品収受ユニット１、２が多数配置される。このような場合、センサーボックスの数が少ないと、居住者の認証を行った場所と、実際に開錠した郵便受けあるいは宅配ボックスまでの距離が長くなり、受取りが不便になるので、所定ユニットごと、たとえば４〜５ユニットごとにセンサーボックスを配置するようにする。
【００３４】
図３は、上記のように構成された物品収受装置がマンションなどの集合住宅に設置された状態を示す。物品収受ユニット１、２、センサーボックス３からなる物品収受装置は、マンションの壁部５０に埋設される。業者はマンションの外側に向かう領域Ａを介して郵便物８あるいは宅配物９を配達し、居住者はマンション内部に向かう領域Ｂを介して配達された郵便物８あるいは宅配物９を受け取る。後述するように、物品収受ユニット１、２の受取側の開閉扉の面は、それが設置される壁部５０の受取側の壁面５０ａとほぼ同一垂直面内に位置するように設置されるので、その配達側の開閉扉の面は、壁部５０の配達側の壁面５０ｂより突出するようになる。
【００３５】
図４、図５は、壁部５０に組み込まれた物品収受装置を透視図的に配達側と受取側から見た状態を示している。
【００３６】
物品収受装置をマンションの壁部に組み込むとき、図５に示したように、壁部の受取側壁面５０ａを、郵便受けの開閉扉２０ａが織り成す模様と同じ模様が発生するように、郵便受けの開閉扉の形状に対応する建材、たとえばタイル６０で被覆するようにする。図５の例では、４０個の郵便受けの開閉扉２０ａがそれぞれ碁番の目状に配列されているので、一つの郵便受けの開閉扉２０ａの縦横寸法に対応するサイズのタイル６０を、各目地がそれぞれ郵便受け２０の縦横の境界線と一致するように、宅配ボックスと郵便受け以外の壁面５０ａに張るようにする。これにより、壁面と一体となったような物品収受装置を壁部に設置することができる。
【００３７】
図５の例では、宅配ボックス１０と郵便受け２０の各開閉扉１０ａ、２０ａが閉じたとき、各開閉扉１０ａ、２０ａが壁面５０ａないしタイル張りされた壁面５０ａと同じ垂直面内に位置するように、宅配ボックスと郵便受けが設置されるので、より壁面と一体化した物品収受装置が設置できる。更に、宅配ボックスと郵便受けの各開閉扉、並びにタイルの色彩を同じものにすれば、更に一体感が向上する。
【００３８】
図５に示した例では、制御ボックス３０、宅配ボックス１０、４０、４２あるいはコンソール４１の容積は、郵便受け２０の容積より大きいので、図５から分かるように、受取側から見た制御ボックス、宅配ボックス、あるいはコンソールの各開閉扉１０ａ、３０ａ、４０ａ、４１ａ、４２ａは、郵便受けの開閉扉２０ａよりサイズが大きくなっている。従って、郵便受けの数が少なくなるほど、壁面との一体性がなくなる。
【００３９】
そこで、図８（ｂ）に示したように、宅配ボックス１０の開閉扉１０ａの受取側に向かう面を、郵便受け２０の開閉扉２０ａの形状（図８（ａ））に合わせて分割する。物品収受ユニット１の例では、宅配ボックス１０の開閉扉１０ａは、郵便受け２０の開閉扉２０ａより約４倍の大きさであるので、宅配ボックス１０の開閉扉１０ａを４等分し、４等分された開閉扉の各面１０１に、郵便受け２０の開閉扉２０ａの形状に対応した形状部分を形成する。つまり、郵便受け２０の開閉扉２０ａと同じ形状を４個形成する。図８（ａ）に示したように、郵便受け２０の開閉扉２０ａは４辺の縁部より少し傾斜して隆起しているので、宅配ボックス１０の開閉扉１０ａには、図８（ｂ）に図示されたように、Ｖ字型の溝１０１ａで十字に刻まれた４個の隆起部が形成されたようなパターンとなっている。郵便受け２０の開閉扉２０ａの形状に従い、隆起部がない場合には、宅配ボックス１０の開閉扉１０ａは単に十字の線を描いたようなパターンとなり、該パターンは開閉扉１０ａの面と同一面にある。また、郵便受け２０の開閉扉２０ａが４辺の縁部より陥没した形状の場合には、宅配ボックスの開閉扉は、逆Ｖ字型の山で十字に刻まれた４個の陥没部が形成されたようなパターンとなる。
【００４０】
本実施例では、宅配ボックスの開閉扉の面積は、ほぼ郵便受けの開閉扉の偶数倍となっているので、宅配ボックスの開閉扉の受取側に向かう面は、偶数分の１の区画に分割される。図２に示した宅配ボックス４２の場合には、その開閉扉４２ａの面積は、ほぼ郵便受けの開閉扉の８倍となっているので、宅配ボックスの開閉扉の受取側に向かう面は、８分の１の区画に分割され、そこに郵便受け２０の開閉扉２０ａと同じ形状部分が８個形成される。また、コンソール４１は、その開閉扉４１ａの面積は、ほぼ郵便受けの開閉扉の４倍となっているので、宅配ボックス１０と同様に、郵便受け２０の開閉扉２０ａと同じ形状部分が４個形成される。
【００４１】
また、制御ボックス３０の開閉扉３０ａは、同様な規則で縦方向に２等分し、その区画に郵便受け２０の開閉扉２０ａと同じ形状部分を形成する。
【００４２】
このように、制御ボックス、宅配ボックス、あるいはコンソールの開閉扉の受取側に向かう面を、郵便受けの開閉扉の形状に合わせて分割し、分割された開閉扉の面に、郵便受けの開閉扉の形状に対応した形状部分を形成すると、図６に示したように、壁面５０ａには、タイル６０と同じ形状の開閉扉がタイル６０とともに規則正しく碁盤の目状に配列されたパターンが形成され、壁部の壁面と一体となったような物品収受装置を集合住宅の壁部に設置することができる。なお、参考のために、一つの宅配ボックス１０の開閉扉１０ａが斜線を引いて図６に図示されている。
【００４３】
図６の例では、タイル６０は、郵便受けの開閉扉と同じ大きさであったが、郵便受けの開閉扉より大きくあるいは小さくすることができる。またタイル６０の形状は、郵便受けの開閉扉に合わせて矩形としたが、正方形、その他郵便受けの開閉扉の配列と調和の保てる形状並びに大きさであってもよい。
【００４４】
また、図６の例では、タイル６０は、その目地が隣接する郵便受けの開閉扉の境界線と一致するように張られているが、図７（ａ）に示すように、タイル６０を隣接する郵便受けの開閉扉の境界線１ａと所定量オフセットさせて張るようにしてもよい。
【００４５】
図７（ｂ）に示した例は、図６の例において郵便受け、宅配ボックス、制御ボックスの各開閉扉を更に横方向に２等分し、タイルもタイル６０を横方向に２等分したタイル６１を用いて壁面５０ａを被覆した例で、同様に、壁面と一体化した宅配ボックスと郵便受けの配列を有する物品収受装置を設置できる。この場合、宅配ボックス１０の開閉扉１０ａは、図８（ｃ）に示したような扉になる。
【００４６】
なお、上述した実施例では、物品収受ユニット１の最上部に制御ボックス３０を設けているが、制御ボックスの機能を、コンソール４１内に集約し、単に電気錠に至る配線だけにするようにすることもできる。その場合には、物品収受ユニット１を、宅配ボックスと郵便受けだけの組み合わせとすることができる。
【図面の簡単な説明】
【００４７】
【図１】（ａ）は宅配ボックスおよび郵便受けを併設して成る物品収受ユニットを配達側から見たときの外観を示す斜視図、（ｂ）は受取側から見たときの外観を示す斜視図、（ｃ）は宅配ボックスおよび郵便受けの受取側の開閉扉を開放したときの斜視図である。
【図２】（ａ）、（ｂ）、（ｃ）は、それぞれ物品収受ユニットを複数併設して得られる物品収受装置の正面図、上面図、背面図である。
【図３】物品収受装置を集合住宅の壁部に埋設して設置したときの配置を示す配置図である。
【図４】物品収受装置を配達側から見たときの透視図である。
【図５】物品収受装置を受取側から見たときの透視図である。
【図６】物品収受装置の受取側の開閉扉を壁面に調和させて模様化したときの透視図である。
【図７】（ａ）、（ｂ）はそれぞれ物品収受装置の受取側の開閉扉を壁面に調和させて模様化したときの透視図である。
【図８】（ａ）は郵便受けの開閉扉を示す斜視図、（ｂ）は宅配ボックスの開閉扉を４分割したときの斜視図、（ｃ）は宅配ボックスの開閉扉を８分割したときの斜視図である。
【符号の説明】
【００４８】
１、２  物品収受ユニット
３  センサーボックス
４、５、６  鍵センサー
１０、４０、４２  宅配ボックス
２０  郵便受け
３０  制御ボックス
４１  コンソール
５０  壁部
６０、６１  タイル
【図１】
2010115265.tif 000003
【図２】
2010115265.tif 000004
【図３】
2010115265.tif 000005
【図４】
2010115265.tif 000006
【図５】
2010115265.tif 000007
【図６】
2010115265.tif 000008
【図７】
2010115265.tif 000009
【図８】
2010115265.tif 000010